(57)【特許請求の範囲】
【請求項１】
片面フィルム貼り付け装置であって、
フレーム（１）と、前記フレーム（１）に水平に設けられる、円蓋（１０）を置くためのフィルム貼り付け台（２）と、を含み、
前記フレーム（１）において前記フィルム貼り付け台（２）における横方向の片側の上方には、フィルム巻き上げドラム（９）を位置決めする位置決めローラ（１１）が設けられ、
前記フィルム貼り付け台（２）の上方には、回転枠（４２）が回転自在に接続され、
前記回転枠（４２）には、フィルム貼り付けローラ（４５）が回転自在に接続され、
前記フレーム（１）において前記フィルム貼り付け台（２）における縦方向の両側には、いずれも鉛直平面内で揺動できる揺動アーム（５）が設けられ、
二つの前記揺動アーム（５）の両端端部の間には、いずれも引き出された前記フィルム（９１）の端部縁を挟持固定できる挟持固定台（３）が接続され、
二つの前記挟持固定台（３）は、前記揺動アーム（５）の揺動軸心線に対し中心対称となり、
前記フィルム貼り付け台（２）は、二つの前記挟持固定台（３）の間の位置し、
前記フレーム（１）には、前記揺動アーム（５）を揺動させて前記フィルム（９１）の挟持固定された端部を前記フィルム貼り付け台（２）の他側に伸ばすパワーエレメントが設けられ、
前記フレーム（１）には、昇降可能なフィルム押し部品が設けられ、
前記揺動アーム（５）が水平状態にある時に、前記フィルム押し部品が一方の前記挟持固定台（３）の真上に位置し、
前記位置決めローラー（１１）は、前記フィルム押し部品の外側に位置し、
前記フィルム押し部品は、下降することで引き出された前記フィルム（９１）を前記挟持固定台（３）内に押し入れることができ、
前記フィルム押し部品は、前記フィルム（９１）が前記挟持固定台（３）に挟持固定される時に、前記挟持固定台（３）と前記フィルム貼り付け台（２）との間の前記フィルム（９１）を切断でき、
前記フレーム（１）には、前記回転枠（４２）と前記フィルム押し部品とを下降させて前記フィルム貼り付けローラ（４５）を前記円蓋（１０）の上側面に圧着できる昇降部品が設けられ、
前記フレーム（１）には、前記回転枠（４２）を回転させる駆動部品が設けられる、
ことを特徴とする片面フィルム貼り付け装置。
【請求項２】
前記挟持固定台（３）は、細長い形の固定挟持板（３１）と、細長い形の移動挟持板（３２）と、を含み、
前記固定挟持板（３１）の両端は、それぞれ二つの前記揺動アーム（５）の端部と固定して接続され、
前記固定挟持板（３１）の両端側面には、いずれもガイドピン（３１１）が垂直に固定して接続され、
前記ガイドピン（３１１）は、前記揺動アーム（５）と平行して設けられ、
前記移動挟持板（３２）の両端には、いずれも案内スリーブ（３２１）が固定され、
二つの前記案内スリーブ（３２１）はそれぞれ、二つの前記ガイドピン（３１１）に摺動可能に外装され、
二つの前記ガイドピン（３１１）はいずれも、前記案内スリーブ（３２１）から延出し、
前記ガイドピン（３１１）の延出端には、いずれも挟持固定ばね（３３）が外装され、
前記挟持固定ばね（３３）は、一端が前記移動挟持板（３２）に働き、他端が前記ガイドピン（３１１）の端部に働き、
前記移動挟持板（３２）は、前記挟持固定ばね（３３）の作用によって前記固定挟持板（３１）に圧着される、
ことを特徴とする請求項１に記載の片面フィルム貼り付け装置。
【請求項３】
前記固定挟持板（３１）と前記移動挟持板（３２）の対向する両側面の縁には、いずれも案内斜面（３４）が設けられ、
二つの前記案内斜面（３４）の間には、外方に開口する挟持口（３５）が形成され、
前記揺動アーム（５）が水平状態にある時に、前記フィルム押し部品の下方に位置する前記挟持固定台（３）の前記挟持口（３５）が上方を向き、他方の前記挟持固定台（３）の前記挟持口（３５）が下方を向き、
前記フィルム押し部品は、細長い形のフィルム押し板（７）を含み、
前記フィルム押し板（７）は、前記固定挟持板（３１）と平行して設けられ、
前記フィルム押し板（７）の下側面にはそれぞれ、長手方向に沿ってフィルム押し段鼻（７３）があり、
前記フィルム押し段鼻（７３）は、前記挟持口（３５）と対向して設けられ、
前記フィルム押し板（７）が下降する時に、前記フィルム押し段鼻（７３）は前記挟持口（３５）を通り抜けて前記移動挟持板（３２）と前記固定挟持板（３１）との間に嵌ることができる、
ことを特徴とする請求項２に記載の片面フィルム貼り付け装置。
【請求項４】
前記フィルム押し板（７）の下側面には、長手方向に沿ってカッター（７４）が設けられ、
前記カッター（７４）は、前記フィルム押し段鼻（７３）の前記フィルム貼り付け台（２）を向く側に位置し、
前記フィルム押し段鼻（７３）の下縁は、前記カッター（７４）の下縁より低くなり、
前記移動挟持板（３２）の上側面には、長手方向に沿ってカット溝（３２２）が形成され、
前記フィルム押し板（７）が下降して前記フィルム押し段鼻（７３）が前記移動挟持板（３２）と前記固定挟持板（３１）との間に嵌る時に、前記カッター（７４）は、前記カット溝（３２２）内に嵌ることができ、
前記フィルム押し板（７）には、前記移動挟持板（３２）の上側面に圧着できるテンションバー（７５）が設けられ、
前記カッター（７４）は、前記テンションバー（７５）と前記フィルム押し段鼻（７３）との間に位置し、
前記フィルム押し板（７）の両端には、いずれもスライドブッシュ（７６）が鉛直に固定され、
前記テンションバー（７５）における上側面の両端には、いずれもスライドピン（７５１）が垂直に設けられ、
二つの前記スライドピン（７５１）は、それぞれ二つの前記スライドブッシュ（７６）内に摺動可能に挿設され、
前記スライドピン（７５１）には、テンションスプリング（７７）が外装され、
前記テンションスプリング（７７）は、上端が前記フィルム押し板（７）の下側面に固定され、下端が前記テンションバー（７５）の上側面に固定され、
前記テンションバー（７５）は、前記カッター（７４）より低くなり、
前記フィルム押し段鼻（７３）が前記移動挟持板（３２）と前記固定挟持板（３１）との間に嵌る時に、前記テンションバー（７５）は、前記テンションスプリング（７７）の作用によって前記移動挟持板（３２）の上側面に圧着されることができる、
ことを特徴とする請求項３に記載の片面フィルム貼り付け装置。
【請求項５】
前記昇降部品は、昇降気筒（４７）と、昇降板（４）と、を含み、
前記昇降板（４）は、水平に設けられ、
前記昇降板（４）は、前記フレーム（１）に縦方向に沿って摺動可能に接続され、
前記昇降気筒（４７）は、前記フレーム（１）に固定され、
前記昇降気筒（４７）のピストンロッドは、鉛直に下方を向いて前記昇降板（４）と固定して接続され、
前記回転枠（４２）は、前記昇降板に回転自在に接続され且つ前記昇降板（４）の下方に位置し、
前記フィルム押し板（７）における上側面の両端には、いずれも案内棒（７１）が鉛直に固定して接続され、
前記昇降板（４）には、二つの貫穴が形成され、
二つの前記案内棒（７１）は、それぞれ上方へ二つの前記貫穴を通り抜けて設けられ、
前記案内棒（７１）の上端には、当接段鼻（７１１）が前記案内棒（７１）の円周方向に沿って設けられ、
前記案内棒（７１）には、フィルム押しばね（７２）が外装され、
前記フィルム押しばね（７２）は、上端が前記昇降板（４）の下側面に当接し、
下端が前記フィルム押し板（７）の上側面に当接し、
前記当接段鼻（７１１）は、前記フィルム押しばね（７２）の作用によって前記昇降板（４）の上側面に当接し、
前記フィルム押し板（７）は、前記回転枠（４２）より低くなる、
ことを特徴とする請求項４に記載の片面フィルム貼り付け装置。
【請求項６】
前記昇降板（４）は、下方を向く二つの押し片（４６）を有し、
前記押し片（４６）は、側面が縦方向に沿って設けられ、
前記揺動アームが水平状態にある時に、下向きの前記挟持口（３５）を有する前記挟持固定台（３）の上方に前記押し片（４６）が位置し、且つ二つの前記押し片（４６）がそれぞれ前記挟持固定台（３）の両端と対向し、
前記押し片（４６）の下端は、前記フィルム押し段鼻（７３）の下端縁より低くなり、
前記フィルム押し段鼻（７３）の下端縁は、前記テンションバー（７５）の下側面より低くなり、
前記昇降板（４）が下降する時に前記押し片（４６）が前記移動挟持板（３２）と前記固定挟持板（３１）との間に挿入される、
ことを特徴とする請求項５に記載の片面フィルム貼り付け装置。
【請求項７】
前記フィルム貼り付け台（２）において前記フィルム押し部品に近接する側の縁の両端には、譲位ノッチ（２２）が形成され、
前記譲位ノッチ（２２）は、前記フィルム押し台（２）の上下側面を貫通し、
前記譲位ノッチ（２２）の内壁には、ガイド穴（２３）が形成され、
前記ガイド穴（２３）は、前記フィルム貼り付け台（２）における縦方向の縁まで延在し、
前記ガイド穴（２３）には、細長い形の位置決め板（２４）が摺動可能に穿設され、
前記譲位ノッチ（２２）内には、縦方向に沿って設けられるガイド棒（２２１）が二つ固定され、
前記位置決め板（２４）の内端は、前記譲位ノッチ（２２）内に延在し、
前記位置決め板（２４）の内端には、二つのガイドスリーブ（２４１）が固定して接続され、
二つの前記ガイドスリーブ（２４１）は、それぞれ二つの前記ガイド棒（２２１）に摺動可能に外装され、
前記ガイド棒（２２１）には、位置決めばね（２５）が外装され、
前記位置決め板（２４）の外端は、前記位置決めばね（２５）の作用によって前記ガイド穴（２３）内に引っ込む傾向を有し、
前記揺動アーム（５）の側面には、位置決め穴（５２１）が形成され、
前記位置決め穴（５２１）は、端口が口広げされて前記ガイド穴（２３）と対向し、
前記フィルム押し板（７）の両端には、いずれも二つの押し棒（７８）が鉛直に固定して接続され、
二つの前記押し棒（７８）の下端は、いずれもプッシュ斜面（７８１）を有し、
前記押し棒（７８）の下端は、前記フィルム押し段鼻（７３）の下縁より低くなり、
前記フィルム押し板（７）が下降する時に前記押し棒（７８）が前記譲位ノッチ（２２）内に挿入され、前記プッシュ斜面（７８１）が前記位置決め板（２４）をプッシュし、前記位置決め板（２４）の外端が前記揺動アーム（５）における前記位置決め穴（５２１）内に挿入される、
ことを特徴とする請求項５又は請求項６に記載の片面フィルム貼り付け装置。
【請求項８】
前記昇降板（４）の下側面には、細長い形の回転板（４１）が回転自在に接続され、
前記回転板（４１）の下側面には、鉛直に設けられる二つの接続管（４１１）を有し、
前記接続管（４１１）の側壁には、接続溝（４１２）が縦方向に沿って形成され、
前記回転枠（４２）は、Ｕ字型棒状をなし、
前記回転枠（４２）の両端は、下方を向き、
前記回転枠（４２）の上側面には、コネクタ（４２１）が二つ鉛直に設けられ、
前記コネクタ（４２１）の外周面には、接続ピン（４２２）を有し、
前記コネクタ（４２１）は、前記接続管（４１１）に摺動可能に挿設され、
前記接続ピン（４２２）は、前記接続溝（４１２）内に摺動可能に接続され、
前記接続管（４１１）内には、緩衝ばね（４３）が設けられ、
前記回転枠（４２）の両端には、いずれも支持具（４４）が固定して接続され、
二つの前記フィルム貼り付けローラ（４５）は、それぞれ二つの前記支持具（４４）に回転自在に接続され、
前記フィルム貼り付け台（２）の上側面には、環状の位置規制段鼻（２１）を有し、
二つの前記フィルム貼り付けローラ（４５）は、前記位置規制段鼻（２１）の中心線に対し対称に設けられ、
二つの前記フィルム貼り付けローラ（４５）の対向する端は、いずれも上方に傾斜して設けられ、
前記駆動部品は、前記昇降板（４）に固定される駆動モータ（４８）を含み、
前記駆動モータ（４８）のモータ軸は、前記回転板（４１）と接続される、
ことを特徴とする請求項５又は請求項６に記載の片面フィルム貼り付け装置。
【請求項９】
本発明の片面フィルム貼り付け装置は、二つの円盤状のフィルムカッター（８２）を更に含み、
二つの前記支持具（４４）の外端には、いずれも二つの接続板（４４１）が水平に設けられ、
二つの前記接続板（４４１）は、上下に配列され、
二つの前記接続板（４４１）には、鉛直方向に沿ってフィルムカッター棒（８）が摺動可能に穿設され、
前記フィルムカッター棒（８）の下端には、Ｕ字型板状のフィルムカッターホルダ（８１）が固定され、
前記フィルムカッターホルダ（８１）は、ノッチが下方を向き、
前記フィルムカッター（８２）は、前記フィルムカッターホルダ（８１）内に回転自在に接続され、
前記フィルムカッター（８２）の回転中心線は、前記位置規制段鼻（２１）の径方向に沿って設けられ、
前記フィルムカッター棒（８）には、位置規制ナット（８３）が螺合され、
前記フィルムカッターホルダ（８）には、圧縮ばね（８４）が外装され、
前記圧縮ばね（８４）と前記位置規制ナット（８３）とは、いずれも二つの前記接続板（４４１）の間に位置し、
前記圧縮ばね（８４）は、上端が上方の前記接続板（４４１）の下側面に当接し、下端が前記位置規制ナット（８３）に当接し、
前記回転枠（４２）が下降する時に前記フィルムカッター（８２）が前記位置規制段鼻（２１）の外側にある前記フィルム貼り付け台（２）の上側面に当接する、
ことを特徴とする請求項８に記載の片面フィルム貼り付け装置。
【請求項１０】
前記揺動アーム（５）は、回転リング（５１）と、二つのアーム部（５２）と、を含み、
二つの前記アーム部（５２）の一端は、いずれも前記回転リング（５１）の外周面と固定して接続され、
二つの前記アーム部（５２）は、同軸に設けられ、
前記フィルム貼り付け台（２）における縦方向の両側縁の中央部には、いずれも棒状の支持脚（２６）が固定され、
前記支持脚（２６）は、前記回転リング（５１）を通り抜けて設けられ、
前記支持具（４４）には、三脚台（２６１）が固定され、
前記三脚台（２６１）の転向角には、いずれも安定輪（２６２）が回転自在に接続され、
前記回転リング（５１）の内周面には、案内溝（５１１）が円周方向に形成され、
前記安定輪（２６２）は、前記案内溝（５１１）内に当接し、
前記パワーエレメントは、動力モータ（６）を含み、
前記動力モータ（６）は、前記フィルム貼り付け台（２）の下側面に固定され、
前記動力モータ（６）のモータ軸には、歯車（６１）が固定され、
前記回転リング（５１）の内周面には、リングギア（５３）が円周方向に固定され、
前記歯車（６１）は、前記リングギア（５３）と噛み合って設けられる、
ことを特徴とする請求項１又は請求項２又は請求項３又は請求項４又は請求項５又は請求項６に記載の片面フィルム貼り付け装置。
【発明の詳細な説明】
【技術分野】
【０００１】
本発明は、機械装置技術分野に関し、具体的には、片面フィルム貼り付け装置に関する。
【背景技術】
【０００２】
円蓋とは、円形の蓋のことである。円蓋は、占用空間を減少するように、互いに重なった状態で出荷搬送されるため、円蓋同士が互いに接触する側面には押圧や摩擦が生じて円蓋に傷つけてしまう。したがって、出荷前に円蓋の側面にフィルムを貼り付ける必要がある。円蓋の保護に対する要求が低い場合、片側だけにフィルムを貼り付ければよく、そうして円蓋が互いに重なった状態にある時、互いに接触する任意の両側面は一層のフィルムによって仕切られ、保護作用を果たす。従来の円蓋に対するフィルム貼り付けは人力に頼り、フィルム貼り付け効果が異なり、効率が低い。
【先行技術文献】
【特許文献】
【０００３】
【特許文献１】中国特許出願公開第２０１３２５２０６号明細書
【発明の概要】
【発明が解決しようとする課題】
【０００４】
本発明は、上記の従来技術における問題を解決するために、片面フィルム貼り付け装置を提供し、フィルム貼り付け品質と効率を向上させることを目的とする。
【課題を解決するための手段】
【０００５】
上記の目的を実現するために、片面フィルム貼り付け装置であって、フレームと、前記フレームに水平に設けられる、円蓋を置くためのフィルム貼り付け台と、を含み、前記フレームにおいて前記フィルム貼り付け台における横方向の片側の上方には、フィルム巻き上げドラムを位置決めする位置決めローラが設けられ、前記フィルム貼り付け台の上方には、回転枠が回転自在に接続され、前記回転枠には、フィルム貼り付けローラが回転自在に接続され、前記フレームにおいて前記フィルム貼り付け台における縦方向の両側には、いずれも鉛直平面内で揺動できる揺動アームが設けられ、二つの前記揺動アームの両端端部の間には、いずれも引き出された前記フィルムの端部縁を挟持固定できる挟持固定台が接続され、二つの前記挟持固定台は、前記揺動アームの揺動軸心線に対し中心対称となり、前記フィルム貼り付け台は、二つの前記挟持固定台の間の位置し、前記フレームには、前記揺動アームを揺動させて挟持固定された前記フィルムの端部を前記フィルム貼り付け台の他側に伸ばすパワーエレメントが設けられ、前記フレームには、昇降可能なフィルム押し部品が設けられ、前記揺動アームが水平状態にある時に前記フィルム押し部品が一方の前記挟持固定台の真上に位置し、前記位置決めローラは、前記フィルム押し部品の外側に位置し、前記フィルム押し部品は、下降することで引き出された前記フィルムを前記挟持固定台内に押し入れることができ、前記フィルム押し部品は、前記フィルムが前記挟持固定台に挟持固定される時に、前記挟持固定台と前記フィルム貼り付け台との間の前記フィルムを切断でき、前記フレームには、前記回転枠と前記フィルム押し部品とを下降させて前記フィルム貼り付けローラを前記円蓋の上側面に圧着できる昇降部品が設けられ、前記フレームには、前記回転枠を回転させる駆動部品が設けられる。
【０００６】
フィルムを貼り付ける時に、フィルム巻き上げドラムを位置決めローラに外装して位置決めし、フィルムの端部を引き出して下方の挟持固定台内に挟持固定し、この時にフィルム押し部品がフィルムの引出部分の上方に位置し、円蓋をフィルム貼り付け台の上側面に覆設し、パワーエレメントが揺動アームを揺動させ、フィルムの引出端が挟持固定台に挟持固定されるため、挟持固定台がフィルムを連れて円蓋の他側に移動することができ、すなわちフィルム巻き上げドラム上のフィルムが引き出され、この時に円蓋がフィルムの引出部分の下方に位置し、二つの挟持固定台が揺動アームの回転軸心線に対し中心対称に設けられるため、他方の挟持固定台がフィルム押し部品の下方に移動でき、そして回転枠とフィルム押し部品が下降して下方のフィルムを移動挟持板と固定挟持板との間に押入れ、カッターは、フィルム貼り付け台と挟持固定台との間のフィルムを切断でき、すなわち円蓋の上方に一層のフィルムが被せられ、フィルム巻き上げドラムにおけるフィルムの引出端が再び挟持固定台に挟持固定され、回転枠が引き続き下降し、フィルム貼り付けローラが円蓋の上側面に当接し、駆動部品が回転枠を回転連動させ、フィルム貼り付けローラが円蓋の上側で円周方向に転動し、これによってフィルムを平らに押し、フィルムが円蓋の上側面に付着し、フィルム貼り付けを完了とし、操作が便利で手間を省き、且つフィルム貼り付け品質と効率が高い。
【０００７】
前記片面フィルム貼り付け装置において、前記挟持固定台は、細長い形の固定挟持板と、細長い形の移動挟持板と、を含み、前記固定挟持板の両端は、それぞれ二つの前記揺動アームの端部と固定して接続され、前記固定挟持板の両端側面には、いずれもガイドピンが垂直に固定して接続され、前記ガイドピンは、前記揺動アームと平行して設けられ、前記移動挟持板の両端には、いずれも案内スリーブが固定され、二つの前記案内スリーブはそれぞれ、二つの前記ガイドピンに摺動可能に外装され、二つの前記ガイドピンはいずれも、前記案内スリーブから延出し、前記ガイドピンの延出端には、いずれも挟持固定ばねが外装され、前記挟持固定ばねは、一端が前記移動挟持板に働き、他端が前記ガイドピンの端部に働き、前記移動挟持板は、前記挟持固定ばねの作用によって前記固定挟持板に圧着され、前記固定挟持板と前記移動挟持板とは、いずれも細長い形であり、フィルムの端部縁は、長手方向に沿って前記固定挟持板と前記移動挟持板との間に挟持固定され、これによってフィルムの引き出された部分が平らに広げられる状態である。
【０００８】
前記片面フィルム貼り付け装置において、前記固定挟持板と前記移動挟持板の対向する両側面の縁には、いずれも案内斜面が設けられ、二つの前記案内斜面の間には、外方に開口する挟持口が形成され、前記揺動アームが水平状態にある時に、前記フィルム押し部品の下方に位置する前記挟持固定台の前記挟持口が上方を向き、他方の前記挟持固定台の前記挟持口が下方を向き、前記フィルム押し部品は、細長い形のフィルム押し板を含み、前記フィルム押し板は、前記固定挟持板と平行して設けられ、前記フィルム押し板の下側面にはそれぞれ、長手方向に沿ってフィルム押し段鼻があり、前記フィルム押し段鼻は、前記挟持口と対向して設けられ、前記フィルム押し板が下降する時に、前記フィルム押し段鼻は前記挟持口を通り抜けて前記移動挟持板と前記固定挟持板との間に嵌ることができる。前記フィルム押し板が下降する時、前記フィルム押し段鼻が前記挟持口内に嵌り、前記案内斜面がプッシュされ、前記移動挟持板が移動し、前記フィルム押し段鼻が前記移動挟持板と前記固定挟持板との間に挿入され、前記フィルムが前記移動挟持板と前記固定挟持板に挟持固定される。
【０００９】
前記片面フィルム貼り付け装置において、前記フィルム押し板の下側面には、長手方向に沿ってカッターが設けられ、前記カッターは、前記フィルム押し段鼻の前記フィルム貼り付け台を向く側に位置し、前記フィルム押し段鼻の下縁は、前記カッターの下縁より低くなり、前記移動挟持板の上側面には、長手方向に沿ってカット溝が形成され、前記フィルム押し板が下降して前記フィルム押し段鼻が前記移動挟持板と前記固定挟持板との間に嵌る時に、前記カッターは、前記カット溝内に嵌ることができ、前記フィルム押し板には、前記移動挟持板の上側面に圧着できるテンションバーが設けられ、前記カッターは、前記テンションバーと前記フィルム押し段鼻との間に位置し、前記フィルム押し板の両端には、いずれもスライドブッシュが鉛直に固定され、前記テンションバーにおける上側面の両端には、いずれもスライドピンが垂直に設けられ、二つの前記スライドピンは、それぞれ二つの前記スライドブッシュ内に摺動可能に挿設され、前記スライドピンには、テンションスプリングが外装され、前記テンションスプリングは、上端が前記フィルム押し板の下側面に固定され、下端が前記テンションバーの上側面に固定され、前記テンションバーは、前記カッターより低くなり、前記フィルム押し段鼻が前記移動挟持板と前記固定挟持板との間に嵌る時に、前記テンションバーは、前記テンションスプリングの作用によって前記移動挟持板の上側面に圧着されることができる。前記フィルム押し段鼻の下縁が前記カッターの下縁より低くなるため、前記フィルム押し板が下降することで、前記フィルム押し段鼻が事前に前記フィルムを前記移動挟持板と前記固定挟持板との間に押入れ、前記フィルムを前記移動挟持板と前記固定挟持板とによって挟持固定し、また、前記テンションバーが前記カッターより低いため、前記フィルムが前記挟持固定台に挟持固定される時に、前記カッターの他側にある前記フィルムを前記移動挟持板の上側面に圧着することができ、この時に前記テンションバーと前記フィルム押し段鼻との間の前記フィルムがピンと張り、切断に便利である。
【００１０】
前記片面フィルム貼り付け装置において、前記昇降部品は、昇降気筒と、昇降板と、を含み、前記昇降板は、水平に設けられ、前記昇降板は、前記フレームに縦方向に沿って摺動可能に接続され、前記昇降気筒は、前記フレームに固定され、前記昇降気筒のピストンロッドは、鉛直に下方を向いて前記昇降板と固定して接続され、前記回転枠は、前記昇降板に回転自在に接続され且つ前記昇降板の下方に位置し、前記フィルム押し板における上側面の両端には、いずれも案内棒が鉛直に固定して接続され、前記昇降板には、二つの貫穴が形成され、二つの前記案内棒は、それぞれ上方へ二つの前記貫穴を通り抜けて設けられ、前記案内棒の上端には、当接段鼻が前記案内棒の円周方向に沿って設けられ、前記案内棒には、フィルム押しばねが外装され、前記フィルム押しばねは、上端が前記昇降板の下側面に当接し、下端が前記フィルム押し板の上側面に当接し、前記当接段鼻は、前記フィルム押しばねの作用によって前記昇降板の上側面に当接し、前記フィルム押し板は、前記回転枠より低くなる。前記フィルム押し板が前記回転枠より低くなるため、前記フィルム貼り付けローラと前記円蓋とが当接する時に、前記フィルム押し部品と前記挟持固定台は前記フィルムを挟持固定且つ切断することができ、そして前記昇降板が引き続き下降し、前記フィルム押し板が前記フィルム押しばねを前記円蓋の上側面に当接するように圧縮することができる。
【００１１】
前記片面フィルム貼り付け装置において、前記昇降板は、下方を向く二つの押し片を有し、前記押し片は、側面が縦方向に沿って設けられ、前記揺動アームが水平状態にある時に、下向きの前記挟持口を有する前記挟持固定台の上方に前記押し片が位置し、且つ二つの前記押し片がそれぞれ前記挟持固定台の両端と対向し、前記押し片の下端は、前記フィルム押し段鼻の下端縁より低くなり、前記フィルム押し段鼻の下端縁は、前記テンションバーの下側面より低くなり、前記昇降板が下降する時に前記押し片が前記移動挟持板と前記固定挟持板との間に挿入される。前記フィルム押し部品が一方の前記挟持固定台と対向し、前記押し片が他方の前記挟持固定台と対向し、前記昇降板が下降し且つ前記フィルム押し段鼻が前記挟持固定台に近づく時に、前記押し片が事前に前記移動挟持板と前記固定挟持板との間に挿入され、前記挟持固体台に挟持固定される前記フィルムの端部縁が放され、この時に前記フィルム押し段鼻が引き続き下降して下方に前記フィルムをプッシュする時に、前記円蓋の上方にある前記フィルムが逆方向に引き抜かれ、前記挟持固定台に挟持固定される前記フィルムの端部縁が放され、これによって次の円蓋にフィルムを貼り付ける時に挟持固定台に残りのフィルムがないことが保証される。
【００１２】
前記片面フィルム貼り付け装置において、前記フィルム貼り付け台において前記フィルム押し部品に近接する側の縁の両端には、譲位ノッチが形成され、前記譲位ノッチは、前記フィルム押し台の上下側面を貫通し、前記譲位ノッチの内壁には、ガイド穴が形成され、前記ガイド穴は、前記フィルム貼り付け台における縦方向の縁まで延在し、前記ガイド穴には、細長い形の位置決め板が摺動可能に穿設され、前記譲位ノッチ内には、縦方向に沿って設けられるガイド棒が二つ固定され、前記位置決め板の内端は、前記譲位ノッチ内に延在し、前記位置決め板の内端には、二つのガイドスリーブが固定して接続され、二つの前記ガイドスリーブは、それぞれ二つの前記ガイド棒に摺動可能に外装され、前記ガイド棒には、位置決めばねが外装され、前記位置決め板の外端は、前記位置決めばねの作用によって前記ガイド穴内に引っ込む傾向を有し、前記揺動アームの側面には、位置決め穴が形成され、前記位置決め穴は、端口が口広げされて前記ガイド穴と対向し、前記フィルム押し板の両端には、いずれも二つの押し棒が鉛直に固定して接続され、二つの前記押し棒の下端は、いずれもプッシュ斜面を有し、前記押し棒の下端は、前記フィルム押し段鼻の下縁より低くなり、前記フィルム押し板が下降する時に前記押し棒が前記譲位ノッチ内に挿入され、前記プッシュ斜面が前記位置決め板をプッシュし、前記位置決め板の外端が前記揺動アームにおける前記位置決め穴内に挿入される。前記昇降板が下降し且つ前記フィルム押し段鼻が前記移動挟持板と前記固定挟持板との間に挿入される前に、前記押し棒の下端が予め前記譲位ノッチに挿入され、前記プッシュ斜面が前記位置決め板をプッシュし、前記位置決め板の外端が前記ガイド穴から延出して前記位置決め穴に挿入され、前記揺動アームが前記フィルム貼り付け台にロックされ、前記フィルム押し段鼻及び前記テンションバーが下方に押圧する時に前記揺動アームが揺動することが回避される。
【００１３】
前記片面フィルム貼り付け装置において、前記昇降板の下側面には、細長い形の回転板が回転自在に接続され、前記回転板の下側面には、鉛直に設けられる二つの接続管を有し、前記接続管の側壁には、接続溝が縦方向に沿って形成され、前記回転枠は、Ｕ字型棒状をなし、前記回転枠の両端は、下方を向き、前記回転枠の上側面には、コネクタが二つ鉛直に設けられ、前記コネクタの外周面には、接続ピンを有し、前記コネクタは、前記接続管に摺動可能に挿設され、前記接続ピンは、前記接続溝内に摺動可能に接続され、前記接続管内には、緩衝ばねが設けられ、前記回転枠の両端には、いずれも支持具が固定して接続され、二つの前記フィルム貼り付けローラは、それぞれ二つの前記支持具に回転自在に接続され、前記フィルム貼り付け台の上側面には、環状の位置規制段鼻を有し、二つの前記フィルム貼り付けローラは、前記位置規制段鼻の中心線に対し対称に設けられ、二つの前記フィルム貼り付けローラの対向する端は、いずれも上方に傾斜して設けられ、前記駆動部品は、前記昇降板に固定される駆動モータを含み、前記駆動モータのモータ軸は、前記回転板と接続される。前記フィルム押し段鼻が前記移動挟持板と前記固定挟持板との間に挿入され且つ前記フィルムが前記カッターに切断された時、前記フィルム貼り付けローラが前記円蓋の上側面に当接するまで、前記昇降板が引き続き下降し、前記緩衝ばねが緩衝作用を果たし、前記フィルム貼り付けローラと前記円蓋とが十分に当接して前記円蓋が傷づくことが回避される。
【００１４】
前記片面フィルム貼り付け装置において、本発明の片面フィルム貼り付け装置は、二つの円盤状のフィルムカッターを更に含み、二つの前記支持具の外端には、いずれも二つの接続板が水平に設けられ、二つの前記接続板は、上下に配列され、二つの前記接続板には、鉛直方向に沿ってフィルムカッター棒が摺動可能に穿設され、前記フィルムカッター棒の下端には、Ｕ字型板状のフィルムカッターホルダが固定され、前記フィルムカッターホルダは、ノッチが下方を向き、前記フィルムカッターは、前記フィルムカッターホルダ内に回転自在に接続され、前記フィルムカッターの回転中心線は、前記位置規制段鼻の径方向に沿って設けられ、前記フィルムカッター棒には、位置規制ナットが螺合され、前記フィルムカッターホルダには、圧縮ばねが外装され、前記圧縮ばねと前記位置規制ナットとは、いずれも二つの前記接続板の間に位置し、前記圧縮ばねは、上端が上方の前記接続板の下側面に当接し、下端が前記位置規制ナットに当接し、前記回転枠が下降する時に前記フィルムカッターが前記位置規制段鼻の外側にある前記フィルム貼り付け台の上側面に当接する。前記回転枠が回転してフィルムを貼り付ける過程において、前記フィルムカッターが同期に前記位置規制段鼻の外側で前記円蓋に貼り付けられる前記フィルムを円形にカットし、フィルムの貼り付け効果を向上させ、また、前記位置規制ナットは前記ガイド棒の下端が延び出す長さを調節することができ、これによって前記フィルム貼り付けローラが前記円蓋に圧着された後の前記フィルムカッターの圧力を調節し、異なる高さの前記円蓋に対応する。
【００１５】
前記片面フィルム貼り付け装置において、前記揺動アームは、回転リングと、二つのアーム部と、を含み、二つの前記アーム部の一端は、いずれも前記回転リングの外周面と固定して接続され、二つの前記アーム部は、同軸に設けられ、前記フィルム貼り付け台における縦方向の両側縁の中央部には、いずれも棒状の支持脚が固定され、前記支持脚は、前記回転リングを通り抜けて設けられ、前記支持具には、三脚台が固定され、前記三脚台の転向角には、いずれも安定輪が回転自在に接続され、前記回転リングの内周面には、案内溝が円周方向に形成され、前記安定輪は、前記案内溝内に当接し、前記パワーエレメントは、動力モータを含み、前記動力モータは、前記フィルム貼り付け台の下側面に固定され、前記動力モータのモータ軸には、歯車が固定され、前記回転リングの内周面には、リングギアが円周方向に固定され、前記歯車は、前記リングギアと噛み合って設けられる。前記揺動アームの揺動過程において、二つの前記フィルム押し部品がそれぞれ前記フィルム貼り付け台の上方及び下方を通過するため、前記揺動アームは、前記回転リングと前記安定輪との協働構造を採用し、安定的な接続を実現する。
【発明の効果】
【００１６】
フィルムの引出端が挟持固定台に位置決めされるため、揺動アームの揺動により挟持固定台がフィルムを連れて円蓋の他側に移動し、他方の挟持固定台がフィルム押し部品の下方に移動し、回転枠とフィルム押し部品が下降してフィルムの一部を移動挟持板と固定挟持板との間に押入れ、そしてカッターがフィルム貼り付け台と挟持固定台との間のフィルムの部分を切断し、円蓋の上方に一層のフィルムを被せ、フィルム巻き上げドラムにおけるフィルムの引出端が再び挟持固定台に挟持固定され、フィルム貼り付けローラが円蓋の上側面に当接してフィルムを平らに押し、フィルムが円蓋の上側面に貼り付けられ、この時円蓋を取ればよく、操作が便利で手間を省き、フィルム貼り付け品質と効率が高い。
【００１７】
フィルム押し部品が一方の挟持固定台と対向するため、押し片が他方の挟持固定台と対向し、昇降板が下降し且つフィルム押し段鼻が挟持固定台に近づく時、押し片が予め移動挟持板と固定挟持板との間に挿入され、挟持固定台に挟持固定されるフィルムの端部縁が放され、この時フィルム押し段鼻が引き続き下降して下方にフィルムをプッシュし、円蓋上方のフィルムが逆方向に引き抜かれ、フィルムの端部縁が開いた挟持固定台に放され、次の円蓋にフィルムを貼り付ける時に挟持固定台に残りのフィルムがないことが保証される。
【００１８】
昇降板が下降し且つフィルム押し段鼻が移動挟持板と固定挟持板との間に挿入される前に、押し棒の下端が予め譲位ノッチに挿入され、プッシュ斜面が位置決め板をプッシュし、位置決め板の外端がガイド穴から延出して位置決め穴に挿入され、揺動アームがフィルム貼り付け台にロックされ、フィルム押し段鼻及びテンションバーが下方に押圧する時に揺動アームが揺動することが回避される。
【図面の簡単な説明】
【００１９】
本願に記載の各方向が、図１と同じ向きに装置を見た際の方向である。
【００２０】
【図１】片面フィルム貼り付け装置の斜視図である。
【図２】片面フィルム貼り付け装置の俯瞰図である。
【図３】図２のＡ―Ａ線に沿う断面図である。
【図４】図１におけるＢの部分の拡大図である。
【図５】図３におけるＣの部分の拡大図である。
【図６】図１におけるＤの部分の拡大図である。
【図７】譲位ノッチにおけるフィルム貼り付け台の局部断面図である。
【図８】図２のＥ―Ｅ線に沿う、押し棒が譲位ノッチに挿入される時の局部断面図である。
【図９】図３におけるＦの部分の拡大図である。
【図１０】図１におけるＧの部分の拡大図である。
【図１１】図１におけるＨの部分の拡大図である。
【図１２】円蓋をフィルム貼り付け台に置いた時の作業プロセス図である。
【図１３】挟持固定台が円蓋の他側に移動した時の作業プロセス図である。
【図１４】昇降板が下降し且つ押し片が挟持固定台に挿入される時の作業プロセス図である。
【図１５】フィルムがカッターに切断されるときの作業プロセス図である。
【図１６】図１５におけるＩの部分の拡大図である。
【発明を実施するための形態】
【００２１】
以下、図１〜図１６を参照しながら本実施形態について説明する。本発明の実施例に係る技術的内容を明確かつ完全に説明する。明らかに、以下に説明する実施例は、本発明の実施例の一部にすぎず、すべての実施例ではない。本発明の実施例に基づいて、当業者は、創作的な努力なしで得られるすべての実施例は、本発明の保護範囲内に含まれる。
【００２２】
図１，図２，図３に示すように、片面フィルム貼り付け装置であって、フレーム１と、前記フレーム１に水平に設けられる、円蓋１０を置くためのフィルム貼り付け台２と、を含み、前記フレーム１において前記フィルム貼り付け台２における横方向の片側の上方には、フィルム巻き上げドラム９を位置決めする位置決めローラ１１が設けられ、前記位置決めローラ１１は、従来技術における部品であり、フィルム巻き上げドラム９を位置決めすることができ、フィルムが引き出される時に回転でき、前記位置決めローラ１１の一端には、回転ダンパが設けられることで、フィルム巻き上げドラム９の回転に対する抵抗力を増やしてフィルム９１が引き出されすぎることが回避され、前記フィルム貼り付け台２の上方には、回転枠４２が回転自在に接続され、前記回転枠４２には、フィルム貼り付けローラ４５が回転自在に接続され、前記フレーム１において前記フィルム貼り付け台２における縦方向の両側には、いずれも鉛直平面内で揺動できる揺動アーム５が設けられ、二つの前記揺動アーム５の両端端部の間には、いずれも引き出された前記フィルム９１の端部縁を挟持固定できる挟持固定台３が接続され、二つの前記挟持固定台３は、前記揺動アーム５の揺動軸心線に対し中心対称となり、前記フィルム貼り付け台２は、二つの前記挟持固定台３の間の位置し、前記フレーム１には、前記揺動アーム５を揺動させて挟持固定された前記フィルム９１の端部を前記フィルム貼り付け台２の他側に伸ばすパワーエレメントが設けられ、前記フレーム１には、昇降可能なフィルム押し部品が設けられ、前記揺動アーム５が水平状態にある時に前記フィルム押し部品が一方の前記挟持固定台３の真上に位置し、前記位置決めローラ１１は、前記フィルム押し部品の外側に位置し、前記フィルム押し部品は、下降することで引き出された前記フィルム９１を前記挟持固定台３内に押し入れることができ、前記フィルム押し部品は、前記フィルム９１が前記挟持固定台３に挟持固定される時に、前記挟持固定台３と前記フィルム貼り付け台２との間の前記フィルム９１を切断でき、前記フレーム１には、前記回転枠４２と前記フィルム押し部品とを下降させて前記フィルム貼り付けローラ４５を前記円蓋１０の上側面に圧着できる昇降部品が設けられ、前記フレーム１には、前記回転枠４２を回転させる駆動部品が設けられる。フィルムを貼り付ける時に、フィルム巻き上げドラム９を位置決めローラ１１に外装して位置決めし、フィルム９１の端部を引き出して下方の挟持固定台３内に挟持固定し、この時にフィルム押し部品がフィルム９１の引出部分の上方に位置し、円蓋１０をフィルム貼り付け台２の上側面に覆設し、パワーエレメントが揺動アーム５を揺動させ、フィルム９１の引出端が挟持固定台３に挟持固定されるため、挟持固定台３がフィルム９１を連れて円蓋１０の他側に移動することができ、すなわちフィルム巻き上げドラム９上のフィルム９１が引き出され、この時に円蓋１０がフィルム９１の引出部分の下方に位置し、二つの挟持固定台３が揺動アーム５の回転軸心線に対し中心対称に設けられるため、他方の挟持固定台３がフィルム押し部品の下方に移動でき、そして回転枠４２とフィルム押し部品が下降して下方のフィルム９１を移動挟持板３２と固定挟持板３１との間に押入れ、カッター７４は、フィルム貼り付け台２と挟持固定台３との間のフィルム９１を切断でき、すなわち円蓋１０の上方に一層のフィルム９１が被せられ、フィルム巻き上げドラム９におけるフィルム９１の引出端が再び挟持固定台３に挟持固定され、回転枠４２が引き続き下降し、フィルム貼り付けローラ４５が円蓋１０の上側面に当接し、駆動部品が回転枠４２を回転連動させ、フィルム貼り付けローラ４５が円蓋１０の上側で円周方向に転動し、これによってフィルム９１を平らに押し、フィルム９１が円蓋１０の上側面に付着し、フィルム貼り付けを完了とし、操作が便利で手間を省き、且つフィルム貼り付け品質と効率が高い。
【００２３】
図４と図５に示すように、前記挟持固定台３は、細長い形の固定挟持板３１と、細長い形の移動挟持板３２と、を含み、前記固定挟持板３１の両端は、それぞれ二つの前記揺動アーム５の端部と固定して接続され、前記固定挟持板３１の両端側面には、いずれもガイドピン３１１が垂直に固定して接続され、前記ガイドピン３１１は、前記揺動アーム５と平行して設けられ、前記移動挟持板３２の両端には、いずれも案内スリーブ３２１が固定され、二つの前記案内スリーブ３２１はそれぞれ、二つの前記ガイドピン３１１に摺動可能に外装され、二つの前記ガイドピン３１１はいずれも、前記案内スリーブ３２１から延出し、前記ガイドピン３１１の延出端には、いずれも挟持固定ばね３３が外装され、前記挟持固定ばね３３は、一端が前記移動挟持板３２に働き、他端が前記ガイドピン３１１の端部に働き、前記移動挟持板３２は、前記挟持固定ばね３３の作用によって前記固定挟持板３１に圧着され、前記固定挟持板３１と前記移動挟持板３２の対向する両側面の縁には、いずれも案内斜面３４が設けられ、二つの前記案内斜面３４の間には、外方に開口する挟持口３５が形成され、前記揺動アーム５が水平状態にある時に、前記フィルム押し部品の下方に位置する前記挟持固定台３の前記挟持口３５が上方を向き、他方の前記挟持固定台３の前記挟持口３５が下方を向き、前記フィルム押し部品は、細長い形のフィルム押し板７を含み、前記フィルム押し板７は、前記固定挟持板３１と平行して設けられ、前記フィルム押し板７の下側面にはそれぞれ、長手方向に沿ってフィルム押し段鼻７３があり、前記フィルム押し段鼻７３は、前記挟持口３５と対向して設けられ、前記フィルム押し板７が下降する時に、前記フィルム押し段鼻７３は前記挟持口３５を通り抜けて前記移動挟持板３２と前記固定挟持板３１との間に嵌ることができる。前記フィルム押し板７が下降する時、前記フィルム押し段鼻７３が前記挟持口３５内に嵌り、前記案内斜面３４がプッシュされ、前記移動挟持板３２が移動し、前記フィルム押し段鼻７３が前記移動挟持板３２と前記固定挟持板３１との間に挿入され、前記フィルム９１が前記移動挟持板３２と前記固定挟持板３１に挟持固定される。
【００２４】
図６に示すように、前記フィルム押し板７の下側面には、長手方向に沿ってカッター７４が設けられ、前記カッター７４は、前記フィルム押し段鼻７３の前記フィルム貼り付け台２を向く側に位置し、前記フィルム押し段鼻７３の下縁は、前記カッター７４の下縁より低くなり、前記移動挟持板３２の上側面には、長手方向に沿ってカット溝３２２が形成され、前記フィルム押し板７が下降して前記フィルム押し段鼻７３が前記移動挟持板３２と前記固定挟持板３１との間に嵌る時に、前記カッター７４は、前記カット溝３２２内に嵌ることができ、前記フィルム押し板７には、前記移動挟持板３２の上側面に圧着できるテンションバー７５が設けられ、前記カッター７４は、前記テンションバー７５と前記フィルム押し段鼻７３との間に位置し、前記フィルム押し板７の両端には、いずれもスライドブッシュ７６が鉛直に固定され、前記テンションバー７５における上側面の両端には、いずれもスライドピン７５１が垂直に設けられ、二つの前記スライドピン７５１は、それぞれ二つの前記スライドブッシュ７６内に摺動可能に挿設され、前記スライドピン７５１には、テンションスプリング７７が外装され、前記テンションスプリング７７は、上端が前記フィルム押し板７の下側面に固定され、下端が前記テンションバー７５の上側面に固定され、前記テンションバー７５は、前記カッター７４より低くなり、前記フィルム押し段鼻７３が前記移動挟持板３２と前記固定挟持板３１との間に嵌る時に、前記テンションバー７５は、前記テンションスプリング７７の作用によって前記移動挟持板３２の上側面に圧着されることができる。前記昇降部品は、昇降気筒４７と、昇降板４と、を含み、前記昇降板４は、水平に設けられ、前記昇降板４は、前記フレーム１に縦方向に沿って摺動可能に接続され、前記昇降気筒４７は、前記フレーム１に固定され、前記昇降気筒４７のピストンロッドは、鉛直に下方を向いて前記昇降板４と固定して接続され、前記回転枠４２は、前記昇降板に回転自在に接続され且つ前記昇降板４の下方に位置し、前記フィルム押し板７における上側面の両端には、いずれも案内棒７１が鉛直に固定して接続され、前記昇降板４には、二つの貫穴が形成され、二つの前記案内棒７１は、それぞれ上方へ二つの前記貫穴を通り抜けて設けられ、前記案内棒７１の上端には、当接段鼻７１１が前記案内棒７１の円周方向に沿って設けられ、前記案内棒７１には、フィルム押しばね７２が外装され、前記フィルム押しばね７２は、上端が前記昇降板４の下側面に当接し、下端が前記フィルム押し板７の上側面に当接し、前記当接段鼻７１１は、前記フィルム押しばね７２の作用によって前記昇降板４の上側面に当接し、前記フィルム押し板７は、前記回転枠４２より低くなる。前記昇降板４は、下方を向く二つの押し片４６を有し、前記押し片４６は、側面が縦方向に沿って設けられ、前記揺動アームが水平状態にある時に、下向きの前記挟持口３５を有する前記挟持固定台３の上方に前記押し片４６が位置し、且つ二つの前記押し片４６がそれぞれ前記挟持固定台３の両端と対向し、前記押し片４６の下端は、前記フィルム押し段鼻７３の下端縁より低くなり、前記フィルム押し段鼻７３の下端縁は、前記テンションバー７５の下側面より低くなり、前記昇降板４が下降する時に前記押し片４６が前記移動挟持板３２と前記固定挟持板３１との間に挿入される。
【００２５】
図７と図８に示すように、前記フィルム貼り付け台２において前記フィルム押し部品に近接する側の縁の両端には、譲位ノッチ２２が形成され、前記譲位ノッチ２２は、前記フィルム押し台２の上下側面を貫通し、前記譲位ノッチ２２の内壁には、ガイド穴２３が形成され、前記ガイド穴２３は、前記フィルム貼り付け台２における縦方向の縁まで延在し、前記ガイド穴２３には、細長い形の位置決め板２４が摺動可能に穿設され、前記譲位ノッチ２２内には、縦方向に沿って設けられるガイド棒２２１が二つ固定され、前記位置決め板２４の内端は、前記譲位ノッチ２２内に延在し、前記位置決め板２４の内端には、二つのガイドスリーブ２４１が固定して接続され、二つの前記ガイドスリーブ２４１は、それぞれ二つの前記ガイド棒２２１に摺動可能に外装され、前記ガイド棒２２１には、位置決めばね２５が外装され、前記位置決め板２４の外端は、前記位置決めばね２５の作用によって前記ガイド穴２３内に引っ込む傾向を有し、前記揺動アーム５の側面には、位置決め穴５２１が形成され、前記位置決め穴５２１は、端口が口広げされて前記ガイド穴２３と対向し、前記フィルム押し板７の両端には、いずれも二つの押し棒７８が鉛直に固定して接続され、二つの前記押し棒７８の下端は、いずれもプッシュ斜面７８１を有し、前記押し棒７８の下端は、前記フィルム押し段鼻７３の下縁より低くなり、前記フィルム押し板７が下降する時に前記押し棒７８が前記譲位ノッチ２２内に挿入され、前記プッシュ斜面７８１が前記位置決め板２４をプッシュし、前記位置決め板２４の外端が前記揺動アーム５における前記位置決め穴５２１内に挿入される。
【００２６】
図９に示すように、前記昇降板４の下側面には、細長い形の回転板４１が回転自在に接続され、前記回転板４１の下側面には、鉛直に設けられる二つの接続管４１１を有し、前記接続管４１１の側壁には、接続溝４１２が縦方向に沿って形成され、前記回転枠４２は、Ｕ字型棒状をなし、前記回転枠４２の両端は、下方を向き、前記回転枠４２の上側面には、コネクタ４２１が二つ鉛直に設けられ、前記コネクタ４２１の外周面には、接続ピン４２２を有し、前記コネクタ４２１は、前記接続管４１１に摺動可能に挿設され、前記接続ピン４２２は、前記接続溝４１２内に摺動可能に接続され、前記接続管４１１内には、緩衝ばね４３が設けられ、前記回転枠４２の両端には、いずれも支持具４４が固定して接続され、二つの前記フィルム貼り付けローラ４５は、それぞれ二つの前記支持具４４に回転自在に接続され、前記フィルム貼り付け台２の上側面には、環状の位置規制段鼻２１を有し、二つの前記フィルム貼り付けローラ４５は、前記位置規制段鼻２１の中心線に対し対称に設けられ、二つの前記フィルム貼り付けローラ４５の対向する端は、いずれも上方に傾斜して設けられ、前記駆動部品は、前記昇降板４に固定される駆動モータ４８を含み、前記駆動モータ４８のモータ軸は、前記回転板４１と接続される。図１０に示すように、本発明の片面フィルム貼り付け装置は、二つの円盤状のフィルムカッター８２を更に含み、二つの前記支持具４４の外端には、いずれも二つの接続板４４１が水平に設けられ、二つの前記接続板４４１は、上下に配列され、二つの前記接続板４４１には、鉛直方向に沿ってフィルムカッター棒８が摺動可能に穿設され、前記フィルムカッター棒８の下端には、Ｕ字型板状のフィルムカッターホルダ８１が固定され、前記フィルムカッターホルダ８１は、ノッチが下方を向き、前記フィルムカッター８２は、前記フィルムカッターホルダ８１内に回転自在に接続され、前記フィルムカッター８２の回転中心線は、前記位置規制段鼻２１の径方向に沿って設けられ、前記フィルムカッター棒８には、位置規制ナット８３が螺合され、前記フィルムカッターホルダ８には、圧縮ばね８４が外装され、前記圧縮ばね８４と前記位置規制ナット８３とは、いずれも二つの前記接続板４４１の間に位置し、前記圧縮ばね８４は、上端が上方の前記接続板４４１の下側面に当接し、下端が前記位置規制ナット８３に当接し、前記回転枠４２が下降する時に前記フィルムカッター８２が前記位置規制段鼻２１の外側にある前記フィルム貼り付け台２の上側面に当接する。図１１に示すように、前記揺動アーム５は、回転リング５１と、二つのアーム部５２と、を含み、二つの前記アーム部５２の一端は、いずれも前記回転リング５１の外周面と固定して接続され、二つの前記アーム部５２は、同軸に設けられ、前記フィルム貼り付け台２における縦方向の両側縁の中央部には、いずれも棒状の支持脚２６が固定され、前記支持脚２６は、前記回転リング５１を通り抜けて設けられ、前記支持具４４には、三脚台２６１が固定され、前記三脚台２６１の転向角には、いずれも安定輪２６２が回転自在に接続され、前記回転リング５１の内周面には、案内溝５１１が円周方向に形成され、前記安定輪２６２は、前記案内溝５１１内に当接し、前記パワーエレメントは、動力モータ６を含み、前記動力モータ６は、前記フィルム貼り付け台２の下側面に固定され、前記動力モータ６のモータ軸には、歯車６１が固定され、前記回転リング５１の内周面には、リングギア５３が円周方向に固定され、前記歯車６１は、前記リングギア５３と噛み合って設けられる。
【００２７】
図１２に示すように、フィルムを貼り付ける時に、フィルム巻き上げドラム９が位置決めローラ１１に位置決められ、フィルム９１の一端が引き出されて挟持固定台３に挟持固定され、円蓋１０をフィルム貼り付け台２の位置規制段鼻２１に覆設し、図１３に示すように、動力モータ６が歯車６１とリングギア５３の協働により揺動アーム５を百八十度回転させ、フィルム９１を挟持固定する挟持固定台３が円蓋１０の上方から円蓋１０の他側まで移動し、他方の挟持固定台３がフィルム貼り付け台２の下方からフィルム押し部品の下方に移動し、この時にフィルム９１の引出部分が円蓋１０の上方に位置し、図１４に示すように、昇降板４が下降し、フィルム押し段鼻７３が下方の挟持固定台３に接近する時に、フィルム９１を挟持固定する他方の挟持固定台３内に押し片４６が予め挿入され、フィルム９１を挟持固定する他方の挟持固定台３がフィルム９１を放し、図１５と図１６に示すように、フィルム押し段鼻７３が下方の挟持固定台３内に挿入される時に、フィルム９０１が逆方向に引き抜かれて他方の挟持固定台３から離れ、その後にテンションバー７５がフィルム９１を圧着し、カッター７４がフィルム９１を切断し、昇降板４が更に下降し、フィルム貼り付けローラ４５が円蓋１０に圧着し、駆動モータ４８が回転枠４２を回転させ、フィルムを貼り付けることができ、円蓋１０に貼り付けられるフィルムを切断した後に、昇降板４が復位するように上昇し、フィルム巻き上げドラム９におけるフィルム９１の引出部分が再び挟持固定台３に挟持固定される。
【符号の説明】
【００２８】
１  フレーム
１１  位置決めローラ
２  フィルム貼り付け台
２１  位置規制段鼻
２２  譲位ノッチ
２２１  ガイド棒
２３  ガイド穴
２４  位置決め板
２４１  ガイドスリーブ
２５  位置決めばね
２６  支持脚
２６１  三脚台
２６２  安定輪
３  挟持固定台
３１  固定挟持板
３１１  ガイドピン
３２  移動挟持板
３２１  案内スリーブ
３２２  カット溝
３３  挟持固定ばね
３４  案内斜面
３５  挟持口
４  昇降板
４１  回転板
４１１  接続管
４１２  接続溝
４２  回転枠
４２１  コネクタ
４２２  接続ピン
４３  緩衝ばね
４４  支持具
４４１  接続板
４５  フィルム貼り付けローラ
４６  押し片
４７  昇降気筒
４８  駆動モータ
５  揺動アーム
５１  回転リング
５１１  案内溝
５２  アーム部
５２１  位置決め穴
５３  リングギア
６  動力モータ
６１  歯車
７  フィルム押し板
７１  案内棒
７１１  当接段鼻
７２  フィルム押しばね
７３  フィルム押し段鼻
７４  カッター
７５  テンションバー
７５１  スライドピン
７６  スライドブッシュ
７７  テンションスプリング
７８  押し棒
７８１  プッシュ斜面
８  フィルムカッター棒
８１  フィルムカッターホルダ
８２  フィルムカッター
８３  位置規制ナット
８４  圧縮ばね
９  フィルム巻き上げドラム
９１  フィルム
１０  円蓋
【図１】
0006957784.tif 000002
【図２】
0006957784.tif 000003
【図３】
0006957784.tif 000004
【図４】
0006957784.tif 000005
【図５】
0006957784.tif 000006
【図６】
0006957784.tif 000007
【図７】
0006957784.tif 000008
【図８】
0006957784.tif 000009
【図９】
0006957784.tif 000010
【図１０】
0006957784.tif 000011
【図１１】
0006957784.tif 000012
【図１２】
0006957784.tif 000013
【図１３】
0006957784.tif 000014
【図１４】
0006957784.tif 000015
【図１５】
0006957784.tif 000016
【図１６】
0006957784.tif 000017